(57)【要約】【課題】  生産性に優れ、取付作業を容易に行うことができる取付具及びその使用方法を提供することを目的とする。【解決手段】  同形状に形成された一対の挟持体２，２を対向配置した状態で、一方の挟持体２は、締結具３が挿通される挿通孔１２と、他方の挟持体２に向かって突設されたガイド突起部１４と、両挟持体を近接させたときに、他方の挟持体２のガイド突起部１４が係合する係合部１５とを有し、対向配置した各挟持体のガイド突起部１４をそれぞれ対向する挟持体の係合部１５に係合させた状態で、挟持体２，２間の間隔がハゼ部Ｓの最大幅ＳＷよりも大きくなるようにガイド突起部１４の長さが設定されるとともに、ガイド突起部１４は、挿通孔１２との間にボルト頭部４ａを収容可能で、他方の挟持体のガイド突起部１４との間の間隔が、ボルト軸部４ｂの通過を許容し、ボルト頭部４ａの通過を規制するように形成されたことを特徴とする。【選択図】        図１
2015017467.tif 000002
【特許請求の範囲】
【請求項１】
折板屋根に設けられたハゼ部を挟持する一対の挟持体と、前記一対の挟持体を締め付け固定する締結具と、ハゼ部を挟持した状態の前記一対の挟持体にボルト頭部が保持されてボルト軸部が前記挟持体の上面から上方に突出する取付ボルトとを備え、前記一対の挟持体は同形状に形成された挟持体からなり、両挟持体を対向配置した状態で、一方の挟持体は、前記締結具が挿通される挿通孔と、ハゼ部を挟持する挟持部と、前記挿通孔よりも上方位置において他方の挟持体に向かって突設されたガイド突起部と、両挟持体を近接させたときに他方の挟持体のガイド突起部が係合する係合部とを有し、対向配置した各挟持体のガイド突起部をそれぞれ対向する挟持体の係合部に係合させた状態で、挟持体間の間隔が前記ハゼ部の最大幅よりも大きくなるように前記ガイド突起部の長さが設定されるとともに、前記ガイド突起部は、挿通孔との間に前記ボルト頭部を収容可能で、他方の挟持体のガイド突起部との間の間隔が、前記ボルト軸部の通過を許容し、前記ボルト頭部の通過を規制するように形成されたことを特徴とする取付具。
【請求項２】
前記一対の挟持体は、対向配置した各挟持体のガイド突起部をそれぞれ対向する挟持体の係合部に係合させ、前記締結具によって前記ガイド突起部が前記係合部から外れないように規制しつつ両挟持体をスライド可能とする仮組みが可能とされ、前記取付ボルトは、仮組み時に、ボルト頭部を前記挿通孔と前記ガイド突起部との間の空間に収容し、ボルト軸部を前記ガイド突起部間の隙間から上方に突出するようにして一対の挟持体に組み入れることにより、仮組みされた一対の挟持体から取付ボルトが脱落するのを防止することを特徴とする請求項１記載の取付具。
【請求項３】
前記係合部に沿って補助突起部が形成されたことを特徴とする請求項１〜３のいずれかに記載の取付具。
【請求項４】
前記挟持体は、繊維強化プラスチックからなることを特徴とする請求項１〜３のいずれかに記載の取付具。
【請求項５】
請求項１〜４のいずれかに記載の取付具を用い、各挟持体を対向配置し、前記取付ボルトのボルト頭部を前記挿通孔と前記ガイド突起部との間の空間に収容し、ボルト軸部を前記ガイド突起部間から上方に突出するようにして各挟持体のガイド突起部をそれぞれ対向する挟持体の係合部に係合させ、前記締結具によって前記ガイド突起部が前記係合部から外れないように規制しつつ両挟持体をスライド可能とする仮組みを行い、前記取付ボルトを組み入れた仮組み状態の一対の挟持体をハゼ部まで運んだ後、一対の挟持体をハゼ部に取り付けるようにしたことを特徴とする取付具の使用方法。
【発明の詳細な説明】
【技術分野】
【０００１】
本発明は、折板屋根のハゼ部（丸ハゼ部、角ハゼ部等）に取り付けられて、ソーラーパネル等その他物品を取付けるために用いられる取付具に関する。
【背景技術】
【０００２】
折板屋根用の取付金具としては、従来、ハゼ部を挟着する一対の挟持体と、挟持体相互を連結する固定具と、挟持体の上面に位置する天板からネジ部が上方に突出するように各挟持体に固定された取付用ボルトとからなるものが知られている。
【０００３】
具体的に、特許文献１には、一対の挟持体を同形状の挟持体から構成し、対向させた状態でスライド可能に係合させる構成の取付金具が開示されている。また、特許文献２には、両挟持体を所定距離左右に移動可能とするとともに回動自在に連結する前後の係合部とを備えた取付金具が開示されている。
【先行技術文献】
【特許文献】
【０００４】
【特許文献１】特開２００９−２８１１１４公報
【特許文献２】特開２０１３−０５７２３７号公報
【発明の概要】
【発明が解決しようとする課題】
【０００５】
上記特許文献１及び２に開示された取付金具はいずれも、一対の挟持体が同形状の挟持体で構成され、生産性に優れるとともに、各挟持体組み合わせた状態で保持可能とされ、運搬性や施工性に優れるという利点を有する。特に、特許文献１記載の取付具は、各挟持体を組み合わせる際に、挟持体のスライド方向が位置方向に規制され、他の方向へのずれやねじれ等を防止して取付作業を容易にすることができる（特許文献１の段落００２０参照）。
【０００６】
しかしながら、特許文献１記載の取付具では、一対の挟持体の挟持部が開いた状態で天面に形成される支持溝には、取付ボルトのボルト頭部を収容可能であるもののボルト頭部は容易に脱落してしまうため、一対の挟持体でハゼ部を挟持する際には、施工現場において、手で取付ボルトを支えておく必要があり、作業が煩雑になるとともに、施工現場まで挟持体と取付ボルトとを別々に管理しておく必要があった。
【０００７】
一方、特許文献２記載の取付具では、両挟持体の板状頂部が接触し、その部分が支点となって両挟持体を回動自在とすることから、両挟持体を左右方向に開いた際、ボルト保持凹部およびねじ孔が取付ボルトの頭部を保持した状態で取付金具をハゼ部に取り付けることができる。したがって、施工現場において、取付ボルトが取付金具から落下するのを防止できるとされている（特許文献２の段落００１５参照）。
【０００８】
しかしながら、実際には、特許文献２の係合部は爪部が長孔に挿通されているのみであり、固定具を緩めた状態では、前後方向、すなわち、左右の挟持体の対向する方向に直交する方向に容易にずれるため、左右の挟持体でハゼ部を挟持する際には、施工現場において、左右の挟持体をスムーズに回動させるために、両手で左右の挟持体を持って前後方向のずれをその都度矯正する必要があり、作業が煩雑になっていた。
【０００９】
そこで、本発明においては、生産性に優れ、取付作業を容易に行うことができる取付具及びその使用方法を提供することを目的とする。
【課題を解決するための手段】
【００１０】
上記問題点を解決するために、本発明に係る取付具は、折板屋根に設けられたハゼ部を挟持する一対の挟持体と、前記一対の挟持体を締め付け固定する締結具と、ハゼ部を挟持した状態の前記一対の挟持体にボルト頭部が保持されてボルト軸部が前記挟持体の上面から上方に突出する取付ボルトとを備え、前記一対の挟持体は同形状に形成された挟持体からなり、両挟持体を対向配置した状態で、一方の挟持体は、前記締結具が挿通される挿通孔と、ハゼ部を挟持する挟持部と、前記挿通孔よりも上方位置において他方の挟持体に向かって突設されたガイド突起部と、両挟持体を近接させたときに他方の挟持体のガイド突起部が係合する係合部とを有し、対向配置した各挟持体のガイド突起部をそれぞれ対向する挟持体の係合部に係合させた状態で、挟持体間の間隔が前記ハゼ部の最大幅よりも大きくなるように前記ガイド突起部の長さが設定されるとともに、前記ガイド突起部は、挿通孔との間に前記ボルト頭部を収容可能で、他方の挟持体のガイド突起部との間の間隔が、前記ボルト軸部の通過を許容し、前記ボルト頭部の通過を規制するように形成されたことを特徴とする。
【００１１】
上記構成の取付具は、一対の挟持体を構成する各挟持体は同形状に形成されているため、生産性を高めることが可能となる。さらに、前記一対の挟持体は、対向配置した各挟持体のガイド突起部をそれぞれ対向する挟持体の係合部に係合させ、前記締結具によって前記ガイド突起部が前記係合部から外れないように規制しつつ両挟持体をスライド可能とする仮組みが可能とされ、前記取付ボルトは、仮組み時に、ボルト頭部を前記挿通孔と前記ガイド突起部との間の空間に収容し、ボルト軸部を前記ガイド突起部間の隙間から上方に突出するようにして一対の挟持体に組み入れることにより、仮組みされた一対の挟持体から取付ボルトが脱落するのを防止することができる。
【００１２】
さらに、上記構成では、一対の挟持体は、仮組みされた状態で、両挟持体が対向する方向（対向方向）にのみ近接離反するようにスライド可能とし、他の方向へのずれやねじれ等を防止することができる。一対の挟持体のスライド可能な範囲としては、両挟持体を近接させ、両者が当接して連結した状態（以下、一対の挟持体が閉じた状態という）から一対の挟持体が離反する方向にスライドしてガイド突起部が開口部から外れる手前で締結具によって移動が規制された状態（以下、一対の挟持体が開いた状態という）までの範囲とされる。
【００１３】
すなわち、一対の挟持体が開いた状態での両挟持体の間隔は、ガイド突起部の長さによって決まる。本発明においては、ガイド突起部長さを、ガイド突起部が係合部に係合した状態で、各挟持体の挟持部間の間隔がハゼ部の最大幅よりも大きくなるように設定しているため、開いた状態の一対の挟持体の間（挟持部内）にハゼ部を導入することが可能となる。その後、両挟持体を近接する方向にスライドさせることで、容易に一対の挟持体をハゼ部に挟持させることができる。このように、本発明では取付具の取付作業をスムーズに行うことが可能となる。
【００１４】
本発明では、係合部に沿って補助突起部を形成してもよい。補助突起部は、両挟持体を対向配置した状態で、一方の挟持体の係合部に沿って一方の挟持体から他方の挟持体に向かって（対向方向に）突設される。上記構成により、対向する挟持体のガイド突起部を補助突起部で係合部までスムーズに案内することができる。
【００１５】
また、本発明の取付具は、挟持体を繊維強化プラスチック（ＦＲＰ）から構成するのが望ましい。これにより、従来の取付金具に比べて大幅に軽量化することができ、開いた状態の一対の挟持体を片手でもスムーズに閉じることが可能となる等、取付具の取付作業をより容易に行うことができる。
【００１６】
以上詳述した本発明の取付具を使用する方法としては、各挟持体を対向配置し、前記取付ボルトのボルト頭部を前記挿通孔と前記ガイド突起部との間の空間に収容し、ボルト軸部を前記ガイド突起部間から上方に突出するようにして各挟持体のガイド突起部をそれぞれ対向する挟持体の係合部に係合させ、前記締結具によって前記ガイド突起部が前記係合部から外れないように規制しつつ両挟持体をスライド可能とする仮組みを行い、前記取付ボルトを組み入れた仮組み状態の一対の挟持体をハゼ部まで運んだ後、一対の挟持体をハゼ部に取り付けるようにすることができる。
【００１７】
これにより、取付ボルトを組み入れて仮組みした一対の挟持体は、取付ボルトが脱落するおそれがなく、取付ボルトを含めた一対の挟持体を一つのユニットとして扱うことができ、取付具のハゼ部への取付作業が容易になるだけでなく、部品管理も容易になる。
【発明の効果】
【００１８】
以上のように、本発明によれば、同形状に形成された一対の挟持体を対向配置した状態で、一方の挟持体は、前記締結具が挿通される挿通孔と、他方の挟持体に向かって突設されたガイド突起部と、両挟持体を近接させたときに、他方の挟持体のガイド突起部が係合する係合部とを有し、対向配置した各挟持体のガイド突起部をそれぞれ対向する挟持体の係合部に係合させた状態で、挟持体間の間隔が前記ハゼ部の最大幅よりも大きくなるように前記ガイド突起部の長さが設定されるとともに、前記ガイド突起部は、挿通孔との間に前記ボルト頭部を収容可能で、他方の挟持体のガイド突起部間との間の間隔が、前記ボルト軸部の通過を許容し、前記ボルト頭部の通過を規制するように形成されたため、一対の挟持体は、対向配置した各挟持体のガイド突起部をそれぞれ対向する挟持体の係合部に係合させ、前記締結具によって前記ガイド突起部が前記係合部から外れないように規制しつつ両挟持体をスライド可能とする仮組みが可能となり、仮組みされた状態のまま一対の挟持体をハゼ部に取り付けることができる。
さらに、仮組み時に取付ボルトを一対の挟持体に組み入れると、仮組みされた一対の挟持体から取付ボルトが脱落するのを防止することができ、取付具の取付作業をスムーズに行うことができる。
【図面の簡単な説明】
【００１９】
【図１】本発明の実施形態を示す取付具を示す斜視図
【図２】上記取付具を構成する挟持体を示す正面図
【図３】上記挟持体の平面透視図
【図４】上記挟持体の側面透視図
【図５】上記挟持体を背面側からみた斜視図
【図６】上記挟持体を正面側からみた斜視図
【図７】本発明の取付具を仮組みして開いた状態を示す平面透視図
【図８】上記取付具を仮組みして開いた状態を示す側面透視図
【図９】上記取付具を仮組みして閉じた状態を示す平面透視図
【図１０】上記取付具を仮組みして閉じた状態を示す側面透視図
【図１１】本発明の取付具をハゼ部に取り付けた状態を示す側面図
【図１２】本発明の取付具をハゼ部に取り付けた状態を示す背面図
【発明を実施するための形態】
【００２０】
以下、図面に基づいて本発明の実施の形態を説明する。図１〜図１２に示すように、本発明の取付具１は、一対の挟持体２，２と、一対の挟持体２，２を締め付け固定する締結具３と、一対の挟持体２，２にボルト頭部４ａが保持されてボルト軸部４ｂが挟持体２の上面５から突出する取付ボルト４とを備えている。取付ボルト４としては、汎用の六角ボルトを用いることができる。
【００２１】
一対の挟持体２，２は、同形状に形成された２つの挟持体２からなる。取付具１は、両挟持体２，２を対向配置した状態で近接させ、ハゼ部Ｓを挟持しつつ締結具３によって両挟持体２，２を連結することでハゼ部Ｓに取り付ける構造とされる。両挟持体２，２を連結したときに、互いの上面５，５が接続されて一つの平面（天面６）を形成する。
【００２２】
上面５の接続側端部には中央に半円状の切欠部５ａが設けられ、両挟持体２，２が連結されて形成される天面６の中央に、２つの切欠部５ａからなるボルト穴７が形成され、取付ボルト４のボルト軸部４ｂが挿通可能とされる。
【００２３】
なお、上面５には複数の溝８が設けられ、雨が降ったときに上面５に雨水が溜まるのを防止するとともに、ソーラーパネルＰ等の載置物を載置したときに滑るのを効果的に防止する。また、上面５の接続面５ｂには、切込部５ａを中心として対称位置に凸部９と、凹部１１とが形成され、凸部９が対向する挟持体の凹部１１に係合し、天面６のずれやねじれを防止する。
【００２４】
一方の挟持体２は、上記天面５および切欠部５ａのほかに、両挟持体２，２を対向配置した状態で、締結具３が挿通される挿通孔１２と、ハゼ部Ｓを挟持する挟持部１３と、挿通孔１２よりも上方位置において他方の挟持体２に向かって突設されたガイド突起部１４と、両挟持体２，２を近接させたときに、他方の挟持体２のガイド突起部１４が係合する係合部１５とを有している。挟持部１３は、側面視で横向きＵ字状に形成され、一対の挟持体２，２において、Ｕ字状の開口が対向するように設けられる。
【００２５】
本実施形態では係合部１５として挟持体２に形成された開口部を用いているが、これに限らず、たとえば、コ字形に形成するなど、ガイド突起部１４が係合部１５に係合した状態で、対向方向Ｏ以外の方向にずれたり、ねじれたりするのを抑制できる形状であればよい。また、本実施形態では、係合部１５の下縁端に他方の挟持体２のガイド突起部１４をスムーズに係合部１５に導入するための補助突起部１６が他方の挟持体２に向かって突設される。
【００２６】
締結具３は、六角ボルト１７と、ナット１８とを備えた構成とすることができ、さらに適宜ワッシャーを用いることもできる。なお、挟持体２の背面側には、挿通孔１２の周囲に六角ボルト１７の回り止めとしてＵ字状に突設された回り止め部１９が形成される。この場合、回り止め部１９はナット１８を六角ボルト１７にねじ込む際の障害となるため、本実施形態では、回り止め部１９の高さとほぼ同じ厚みのスペーサ２１を介在させて、ナット１８を六角ボルト１７に螺合させている。
【００２７】
上記構成の取付具１を組み立てるには、先ず、取付ボルト４を逆さにし、ボルト軸部４ｂを一方の挟持体２の切欠部５ａに当接させた状態で、他方の挟持体２を対向配置する。そして、各挟持体２，２のガイド突起部１４をそれぞれ対向する挟持体２の係合部１５に係合させ、六角ボルト１７を挿通孔１２，１２に挿通した後、六角ボルト１７の軸部先端にスペーサ２１を装着する。そして、回り止め部１９にスペーサ２１を嵌め入れた後、六角ボルト１７にナット１８を螺合させる。
【００２８】
以上の操作により、取付ボルト４を一対の挟持体２，２に組み入れた状態で、取付具１を組み立てることができる。上記組立具１は、締結具３をガイド突起部１４が係合部１５から外れない程度に緩めておくことで、両挟持体２，２を対向方向Ｏにスライド可能な仮組み状態とすることができる。
【００２９】
本発明では、ガイド突起部は以下の条件（１）〜（３）を満たすように形成される。
（１）図２に示すように、ガイド突起部１４は、挟持体２を正面視したときに、挿通孔１２よりも上方で、挿通孔１２とガイド突起部１４との間隔Ｄ１は、取付ボルトのボルト頭部４ａの高さ４ｔよりも大きくなるように設定される。
（２）仮組み状態において、各挟持体２のガイド突起部１４，１４間の間隔Ｄ２は、ボルト軸部４ｂの軸径よりも大きく、ボルト頭部の最小径（対辺間の径）よりも小さく設定され、ボルト頭部４ａがガイド突起部１４，１４間を通過できないように設定される。
（３）ガイド突起部１４の長さは、図８に示すように、一対の挟持体２，２を仮組みして開いた状態で、両挟持体の間隔（挟持部１３，１３間の間隔）Ｄ３がハゼ部の最大幅ＳＷよりも大きくなるように設定される。
【００３０】
なお、本実施形態では補助突起部１６が形成されているため、上記（１）〜（３）の条件に加えて、さらに、図２に示すように、補助突起部１６と挿通孔１２との間隔Ｄ４が、Ｂｔ＜Ｄ４＜Ｄ１の関係を満たすように設定される。
【００３１】
ガイド突起部１４及び補助突起部１６は、切欠部５ａの端縁から対向方向０に向かって突設され、挟持体２を平面視したときに、ガイド突起部１４の側面及び補助突起部１６の側面と、切欠部５ａの内面とで連続面が形成される。ガイド突起部１４の幅１４ｗ及び厚み１４ｔは、大きくした方が一対の挟持体２，２が仮組み状態で対向方向Ｏ以外の方向へずれたりねじれたりするのを抑制することができる点で好ましい。具体的には、ガイド突起部１４の幅１４ｗ及び厚み１４ｔは、いずれも３ｍｍ以上とするのが好ましく、４ｍｍ以上とするのがより好ましい。
【００３２】
上記条件を満たすようにガイド突起部１４を設けることで、仮組みされた状態で一対の挟持体２，２を容易にハゼ部Ｓに取り付けることができるとともに、仮組みされた状態で一対の挟持体２，２から取付ボルト４が脱落するのを防止することができる。
【００３３】
本実施形態の挟持体２は、ＦＲＰから構成される。具体的な製造方法としては、たとえば、熱硬化性樹脂である不飽和ポリエステル樹脂、エポキシ樹脂、フェノール樹脂等の樹脂の未硬化物に、ガラス繊維などの繊維質の強化材を混合したシート状の成形材料を金型に入れて加熱加圧するＳＭＣ法を用いることができる。特に、ガイド突起部１４として、幅１４ｗ及び厚み１４ｔとも３ｍｍ以上でかつ長いものは、金属シートを加工して形成するのが困難であることから、ＦＲＰ製の取付具が有利である。
【００３４】
以上詳述した本発明の取付具は、以下のようにして使用することができる。先ず、施工現場に向かう前に、前述のようにして、予め取付ボルト４を一対の挟持体２，２に組み入れた状態で、取付具１を仮組みしておく。このようにすることで、取付ボルト４を含めた一対の挟持体２，２を一つのユニットとして扱うことができ、施工現場での作業を単純化することができるとともに、部品管理も容易になる。
【００３５】
仮組みされた取付具１は、施工現場まで搬送した後、図７〜図８に示すように、一対の挟持体２，２を開いた状態でハゼ部Ｓに被せ、両挟持体２，２を近接させることで一対の挟持体２，２によってハゼ部Ｓを挟持する。そして、図１１〜図１２に示すように、締結具３を締め込んで両挟持体２，２を連結させてハゼ部Ｓに固定する。
【００３６】
一対の挟持体２，２は、閉じた状態で取付ボルト４のボルト頭部４ａを挟み込んで回り止めの機能を発揮する。この状態で、ソーラーパネルＰ等の載置物を取付具１の天面６に載置し、押え板２２及びナット２３をこの順で取付ボルト４に装着し、ナット２３を締め込むことで押え板２２をソーラーパネルＰに圧接する。これにより、ソーラーパネルＰ等の載置物を取付具１に固定することができる。
【００３７】
仮組みされた取付具１は、一対の挟持体２，２を開いた状態又は閉じた状態でスライド規制部材によってスライドを規制するのが好ましい。これにより、運搬時の取付具の取扱性を高めることができる。そして、施工現場ではスライド規制部材を外すことで、取付具１をすぐにスライド可能な状態にすることができる。
【００３８】
具体的に、スライド規制部材は、ゴムや軟質樹脂から構成することができる。取付具１を閉じた状態でスライドを規制する場合は、たとえば、断面Ｈ形状の部材を用いることができる。そして、スライド規制部材のそれぞれの凹部に各挟持体２の上面５を嵌入すればよい。別の形態としては、断面コ字形状の部材を用い、両挟持体２，２を閉じた状態で、両方の上面５，５を同時に把持するようにしてもよい。
【００３９】
また、取付具１を開いた状態のままスライドを規制する場合は、たとえば、図７に示すように、ガイド突起部１４，１４で囲まれた空間をちょうど塞ぐ形状の部材を用いることができる。このような形状のスライド規制部材を用いることによって、取付具１が開いた状態でも取付ボルト４を安定な状態で保持することができる。さらに、取付具１を開いた状態のままハゼ部Ｓに被せ、スライド規制部材を外すことですぐにスライド可能な状態にすることができる。
【符号の説明】
【００４０】
１    取付具
２    挟持体
３    締結具
４    取付ボルト
４ａ  ボルト頭部
４ｂ  ボルト軸部
４ｔ  ボルト頭部の高さ
５    挟持体の上面
５ａ  切欠部
５ｂ  接続面
６    取付具の天面
７    ボルト穴
８    溝
９    凸部
１１    凹部
１２    挿通孔
１３    挟持部
１４    ガイド突起部
１５    係合部
１６    補助突起部
１７    六角ボルト
１８    ナット
１９    回り止め部
２１    スペーサ
２２    押え板
２３    ナット
Ｓ    ハゼ部
Ｐ    ソーラーパネル
Ｏ    対向方向
【図１】
2015017467.tif 000003
【図２】
2015017467.tif 000004
【図３】
2015017467.tif 000005
【図４】
2015017467.tif 000006
【図５】
2015017467.tif 000007
【図６】
2015017467.tif 000008
【図７】
2015017467.tif 000009
【図８】
2015017467.tif 000010
【図９】
2015017467.tif 000011
【図１０】
2015017467.tif 000012
【図１１】
2015017467.tif 000013
【図１２】
2015017467.tif 000014